(57)【要約】      （修正有）【課題】省エネルギーの効果を高めることができる照明システムを提供する。【解決手段】照明システム１は、一つの光源２１と、光源２１で発された光を受け入れる入光部３１と、入光部３１で受け入れた光を複数の箇所に導く導光部３２と、導光部３２で導かれた光を放出する出光部３３と、を有している光ファイバー束３と、複数の出光部３３の各々に対応させて設けられ、出光部３３で放出された光を透過させることで当該光を発散させる複数の凹レンズと、複数の該凹レンズの各々に対応させて設けられ、該凹レンズで発散された光を透過させることで当該光を散乱させる透過パネルと、を有する照明器具５、を備えている。【選択図】図１
2019133946.tif 000002
【特許請求の範囲】
【請求項１】
一つの光源と、
前記光源で発された光を受け入れる入光部と、前記入光部で受け入れた光を複数の箇所に導く導光部と、前記導光部で導かれた光を放出する複数の出光部と、を有している光ファイバー束と、
前記複数の出光部の各々に対応させて設けられ、前記出光部で放出された光を透過させることで該光を発散させる複数の凹レンズと、
前記複数の凹レンズの各々に対応させて設けられ、前記凹レンズで発散された光を透過させることで該光を散乱させる透過パネルと、を備えていることを特徴とする
照明システム。
【請求項２】
前記光源で発された光を収束させる凸レンズを備え、
前記入光部は、前記凸レンズで収束された光を受け入れることを特徴とする
請求項１に記載の照明システム。
【請求項３】
前記光源で発された光の量を調整する光量調整機構を備えていることを特徴とする
請求項１又は２に記載の照明システム。
【請求項４】
前記光源で発された光の色を調整する光色調整機構を備えていることを特徴とする
請求項１〜３のいずれかに記載の照明システム。
【請求項５】
前記光源は、発光ダイオードであることを特徴とする
請求項１〜４のいずれかに記載の照明システム。
【発明の詳細な説明】
【技術分野】
【０００１】
本発明は、照明システムに関する。
【背景技術】
【０００２】
近年、公正明朗で常に変化を先取りして新たな価値と豊かな未来を創造し、社会経済の発展、かけがえのない地球環境の維持に貢献するグローバルな観点が求められる。すなわち、日常生活でエコ活動を通し社会全体の幸福に繋がっていくという想いを持つことが求められる。
【０００３】
このような求めに合致する技術として、環境への負担が少なく、省エネルギーの効果が高い照明方法およびその装置が知られている（特許文献１参照）。この照明方法およびその装置は、建築物内に設置された光源ユニットから光を取り入れ、その光を、建築物の内部側を通した光ファイバー束を介して建築物の外面側の複数箇所それぞれに導出し、建築物の内外に発光するものである。
【先行技術文献】
【特許文献】
【０００４】
【特許文献１】特開平０３−０２９２０３号公報
【発明の概要】
【発明が解決しようとする課題】
【０００５】
このような照明方法およびその装置で十分であることはなく、省エネルギーの効果を更に高めることが望まれる。
【０００６】
本発明は、上記課題を鑑みてなされたものであり、省エネルギーの効果を高めることができる照明システムを提供することを目的とする。
【課題を解決するための手段】
【０００７】
（１）本発明は、一つの光源と、前記光源で発された光を受け入れる入光部と、前記入光部で受け入れた光を複数の箇所に導く導光部と、前記導光部で導かれた光を放出する複数の出光部と、を有している光ファイバー束と、前記複数の出光部の各々に対応させて設けられ、前記出光部で放出された光を透過させることで該光を発散させる複数の凹レンズと、前記複数の凹レンズの各々に対応させて設けられ、前記凹レンズで発散された光を透過させることで該光を散乱させる透過パネルと、を備えていることを特徴とする照明システムである。
【０００８】
本発明によれば、光を複数の箇所に導く光ファイバー束を備えているので、一つの光源で複数の箇所を明るくすることができる。また、本発明によれば、光を発散させる凹レンズと、光を散乱させる透過パネルと、を備えているので、広範囲を明るくすることができる。
【０００９】
（２）本発明はまた、前記光源で発された光を収束させる凸レンズを備え、前記入光部は、前記凸レンズで収束された光を受け入れることを特徴とする上記（１）に記載の照明システムである。
【００１０】
本発明によれば、光源で発された光を収束させる凸レンズを備えているので、光源で発された光を確実に光ファイバー束で受け入れることができる。
【００１１】
（３）本発明はまた、前記光源で発された光の量を調整する光量調整機構を備えていることを特徴とする上記（１）又は（２）に記載の照明システムである。
【００１２】
本発明によれば、光源で発された光の量を調整する光量調整機構を備えているので、照明する光の量を調整することができる。
【００１３】
（４）本発明はまた、前記光源で発された光の色を調整する光色調整機構を備えていることを特徴とする上記（１）〜（３）のいずれかに記載の照明システムである。
【００１４】
本発明によれば、光源で発された光の色を調整する光色調整機構を備えているので、照明する光の色を調整することができる。
【００１５】
（５）本発明はまた、前記光源は、発光ダイオードであることを特徴とする上記（１）〜（４）のいずれかに記載の照明システムである。
【００１６】
本発明によれば、光源が発光ダイオードであるので、消費電力量を抑えることができる。
【発明の効果】
【００１７】
本発明の上記（１）〜（５）に記載の照明システムによれば、省エネルギーの効果を高めることができる。
【図面の簡単な説明】
【００１８】
【図１】本発明の実施形態に係る照明システムを示す概略図である。
【図２】図１の照明システムが備えている光源ボックスを示す概略図である。
【図３】図１の照明システムが備えているコントロールボックスを示す概略図であり、（Ａ）はコントロールボックスの外観を示し、（Ｂ）はコントロールボックスの内部構造を示す。
【図４】図３のコントロールボックスが有している部品を示す正面図であり、（Ａ）は絞り羽根を示し、（Ｂ）はカラーパネルを示す。
【図５】図１の照明システムが備えている照明器具を示す概略図である。
【発明を実施するための形態】
【００１９】
以下、図面を参照して、本発明の実施形態に係る照明システム１について詳細に説明する。
【００２０】
まず、図１〜図５を用いて、照明システム１の構成について説明する。図１は、照明システム１を示す概略図である。図２は、照明システム１が備えている光源ボックス２を示す概略図である。図３は、照明システム１が備えているコントロールボックス４を示す概略図である。図３（Ａ）は、コントロールボックス４の外観を示す。図３（Ｂ）は、コントロールボックス４の内部構造を示す。図４は、コントロールボックス４が有している部品を示す正面図である。図４（Ａ）は、絞り羽根４３を示す。図４（Ｂ）は、カラーパネル４４を示す。図５は、照明システム１が備えている照明器具５を示す概略図である。
【００２１】
図１に示す照明システム１は、戸建住宅やマンション、ビルや倉庫等、その他のあらゆる建造物の照明に適したシステムである。具体的に、照明システム１は、光源ボックス２と、光ファイバー束３と、複数のコントロールボックス４と、複数の照明器具５と、等を備えている。
【００２２】
図１及び図２に示すように、光源ボックス２は、一つの光源２１と、凸レンズ２２と、等を備えている。光源２１には、白熱電球や蛍光灯等、その他のあらゆる発光体が採用されるが、消費電力量の観点から、発光ダイオード（ＬＥＤ）が採用されることが好ましい。凸レンズ２２は、光源２１に対面するように設けられている。この凸レンズ２２は、光源２１で発された光を収束させる集光レンズとして機能する。
【００２３】
図１に戻って説明する。光ファイバー束３は、光源２１で発された光を複数の箇所に導く経路である。具体的に、光ファイバー束３は、入光部３１と、導光部３２と、複数の出光部３３と、等を備えている。入光部３１は、凸レンズ２２に対面するように設けられ、光源２１で発されて凸レンズ２２で収束された光を受け入れる。導光部３２は、入光部３１で受け入れた光を分岐させて複数の箇所に導く。出光部３３は、導光部３２で導かれた光を放出する。
【００２４】
コントロールボックス４は、光ファイバー束３における導光部３２の途中に設けられている。
【００２５】
図３（Ａ）に示すように、コントロールボックス４は、光量操作部４１と、光色操作部４２と、を備えている。光量操作部４１は、光ファイバー束３で導かれる光の量（照度）を調整するために操作されるツマミである。光色操作部４２は、光ファイバー束３で導かれる光の色を調整するために操作されるツマミである。
【００２６】
図３（Ｂ）に示すように、コントロールボックス４は、絞り羽根４３と、カラーパネル４４と、を備えている。
【００２７】
図４（Ａ）に示すように、絞り羽根４３は、光源２１で発された光の量を調整する光量調整機構である。この絞り羽根４３は、光量操作部４１（図３（Ａ）参照）の操作に応じて動作する。
【００２８】
図４（Ｂ）に示すように、カラーパネル４４は、光源２１で発された光の色を調整する光色調整機構である。具体的に、カラーパネル４４は、ピンクパネル４４１と、ブルーパネル４４２と、無色透明パネル４４３と、を有し、これら各パネル４４１〜４４３が円グラフ様に均等に配置されている。このカラーパネル４４は、光色操作部４２（図３（Ａ）参照）の操作に応じて回転動作する。
【００２９】
光ファイバー束３の経路上にピンクパネル４４１が位置する場合、カラーパネル４４は、光源２１で発された光の色をピンクにする。光ファイバー束３の経路上にブルーパネル４４２が位置する場合、カラーパネル４４は、光源２１で発された光の色をブルーにする。光ファイバー束３の経路上に無色透明パネル４４３が位置する場合、光源２１で発された光の色を変化させずそのままにする。
【００３０】
図５に示すように、照明器具５は、建物の天井Ｃに設けられている。具体的に、照明器具５は、凹レンズ５１と、透過パネル５２と、等を備えている。
【００３１】
凹レンズ５１は、複数の出光部３３の各々に対応させて当該出光部３３に対面するように設けられ、出光部３３で放出された光を透過させることで当該光を発散させる。透過パネル５２は、凹凸を有する透明なプラスチックパネルであり、複数の凹レンズ５１の各々に対応させて当該凹レンズ５１に対面するように設けられ、凹レンズ５１で発散された光を透過させることで当該光を散乱させる。
【００３２】
次に、図１、図２、図３（Ｂ）及び図５を用いて、照明システム１における光の流れについて説明する。
【００３３】
照明システム１において、光源２１で発された光は、凸レンズ２２で収束されてから、光ファイバー束３が有している入光部３１に受け入れられる（図１及び図２参照）。入光部３１で受け入れられた光は、光ファイバー束３が有している導光部３２で複数の箇所に導かれる（図１参照）。導光部３２で導かれる光は、途中、絞り羽根４３でその量（照度）が調整されると共に、カラーパネル４４でその色が調整される（図３（Ｂ）参照）。導光部３２で複数の箇所に導かれた光は、光ファイバー束３が有している出光部３３から放出される（図５参照）。出光部３３から放出された光は、凹レンズ５１で発散されると共に、透過パネル５２で散乱される（図５参照）。
【００３４】
このように、照明システム１によれば、光を複数の箇所に導く光ファイバー束３を備えているので、一つの光源２１で複数の箇所を明るくすることができる。また、証明システム１によれば、光を発散させる凹レンズ５１と、光を散乱させる透過パネル５２と、を備えているので、広範囲を明るくすることができる。結果として、照明システム１によれば、省エネルギーの効果を高めることができる。
【００３５】
そして、照明システム１によれば、光源２１で発された光を収束させる凸レンズ２２を備えているので、光源２１で発された光を確実に光ファイバー束３で受け入れることができる。結果として、照明システム１によれば、省エネルギーの効果を高めることができる。
【００３６】
また、照明システム１によれば、光源２１で発された光の量を調整する絞り羽根（光量調整機構）４３を備えているので、照明する光の量を調整することができる。さらに、照明システム１によれば、光源２１で発された光の色を調整するカラーパネル（光色調整機構）４４を備えているので、照明する光の色を調整することができる。
【００３７】
そして、照明システム１によれば、光源２１が発光ダイオードであるので、消費電力量を抑えることができる。結果として、照明システム１によれば、省エネルギーの効果を高めることができる。
【００３８】
本発明は、上記実施形態に限られるものではなく、その趣旨及び技術思想を逸脱しない範囲で種々の変形が可能である。すなわち、各構成の位置、大きさ、長さ、数量、形状、色、材質、時間、タイミングなどは適宜変更できる。
【符号の説明】
【００３９】
１  照明システム
２  光源ボックス
２１  光源（発光ダイオード）
２２  凸レンズ
３  光ファイバー束
３１  入光部
３２  導光部
３３  出光部
４  コントロールボックス
４１  光量操作部
４２  光色操作部
４３  絞り羽根
４４  カラーパネル
４４１  ピンクパネル
４４２  ブルーパネル
４４３  無色透明パネル
５  照明器具
５１  凹レンズ
５２  透過パネル
Ｃ  天井
【図１】
2019133946.tif 000003
【図２】
2019133946.tif 000004
【図３】
2019133946.tif 000005
【図４】
2019133946.tif 000006
【図５】
2019133946.tif 000007